(57)【要約】      （修正有）【課題】ネジ鉄筋の接続部の隙間を効率的に封止できるグラウトストッパを提供する。【解決手段】筒状の受け部材２に形成された雌ネジ部２１にネジ鉄筋１が螺入され、ネジ鉄筋１と雌ネジ部２１との間にグラウト材が充填されるネジ鉄筋１に着脱可能であり、グラウト材の充填時に、ネジ鉄筋１の表面に長手方向に沿って形成された平面部１２に当接して、平面部１２と雌ネジ部２１との隙間からグラウト材が漏れ出すのを防止する封止部３と、グラウト材に押されて封止部３が移動するのを阻止する反力発生部４と、を有するグラウトストッパＳ。【選択図】図１
2020111982.tif 000002
【特許請求の範囲】
【請求項１】
筒状の受け部材に形成された雌ネジ部にネジ鉄筋が螺入され、当該ネジ鉄筋と前記雌ネジ部との間にグラウト材が充填される前記ネジ鉄筋に着脱可能であり、
前記グラウト材の充填時に、前記ネジ鉄筋の表面に長手方向に沿って形成された平面部に当接して、当該平面部と前記雌ネジ部との隙間から前記グラウト材が漏れ出すのを防止する封止部と、
前記グラウト材に押されて前記封止部が移動するのを阻止する反力発生部と、を有するグラウトストッパ。
【請求項２】
前記封止部の少なくとも一部に前記反力発生部として機能する磁力発生部が設けられている請求項１に記載のグラウトストッパ。
【請求項３】
前記封止部の一部から延出し、前記ネジ鉄筋の雄ネジ部に係合して前記反力発生部として機能する係止部が形成されている請求項１に記載のグラウトストッパ。
【請求項４】
前記封止部の二つが、前記封止部どうしを互いに近接する方向に付勢する挟持部材で連結されている請求項１から３の何れか一項に記載のグラウトストッパ。
【請求項５】
前記挟持部材が、長尺状の一本の部材を屈曲させたバネ部材である請求項４に記載のグラウトストッパ。
【発明の詳細な説明】
【技術分野】
【０００１】
本発明は、雌ネジ部を有する受け部材にネジ鉄筋を螺入したのちネジ鉄筋と受け部材との隙間にグラウト材を充填する際に、当該隙間を封止してグラウト材のもれ出しを防止するグラウトストッパに関する。
【背景技術】
【０００２】
ＲＣ構造の建築物においては、柱や梁に埋設する鉄筋を接続する際に、接続する鉄筋の端部を筒形状の受け部材の内部に挿入し、鉄筋と受け部材との隙間にグラウト材を充填して鉄筋を固着させる技術がある。例えば、特許文献１に示された技術もその一つである。
【０００３】
特許文献１に記載された技術は、例えばネジ鉄筋どうしを接続する際に、一方のネジ鉄筋に筒状の内部空間を有する受け部材を螺合させておき、他方のネジ鉄筋の端部を当該受け部材の内部空間に挿入する。その後、当該内部空間にグラウト材を注入し、受け部材と他方のネジ鉄筋とを接合するものである。
【０００４】
この従来技術では、グラウト材を注入する際に、二つのＵ字状の治具を、ネジ鉄筋を挟んで対向する方向から取り付け、受け部材の開口部を封止する。この治具は、発泡スチロールやゴムなどで構成され、Ｕ字状の内径がネジ鉄筋の外径よりも僅かに小さく形成されている。これにより、夫々の治具はネジ鉄筋の外周の半分ずつに嵌合当接し、受け部材の端部開口を塞ぐことで、そのあとに注入されるグラウト材が受け部材の端部開口から容易に漏れ出るのを防止する。
【０００５】
本構成の治具により、グラウト材の注入作業に際して受け部材の端部開口の閉塞作業が容易になるとのことである。
【先行技術文献】
【特許文献】
【０００６】
【特許文献１】特開平７-１３９０９５号公報
【発明の概要】
【発明が解決しようとする課題】
【０００７】
しかし、上記従来の治具では、二つのＵ字状の治具がネジ鉄筋の長手方向に沿って単に重ね配置されるだけである。そのため、受け部材に近い側の治具においてＵ字状の腕の間の空間が外部と連通することになる。つまり、受け部材の内部空間は二つの治具によっては完全に封止されないから、グラウト材の注入に伴って、グラウト材が当該連通部から外部に容易に漏れ出し、受け部材の内部にグラウト材が十分に充填されない場合がある。
【０００８】
このような構成は、グラウト材によって固定される受け部材とネジ鉄筋とが螺合する構成ではなく、単に位置合わせされた両者の隙間をグラウト材で埋めるだけの当該従来技術の継手のみに適用可能なものである。しかし、受け部材に雌ネジ部が形成され、これにネジ鉄筋を螺合させたのち、これら雌ネジ部と雄ネジ部との間にグラウト材を注入する構成のものでは、グラウト材の注入態様が異なるものとなる。即ち、両者の隙間は小さいため、グラウト材を比較的大きな圧力で注入する必要があり、その場合、受け部材の端部開口が開放していると、グラウト材が当該部位から容易に漏れ出し、両者の隙間全体に適量のグラウト材を充填することが困難となる。
【０００９】
また、ネジ鉄筋の外面には、雄ネジ部に加えて、長手方向に沿った平面部が形成されているものがある。このようなネジ鉄筋の接合では、当該平面部において受け部材との隙間が大きくなるから、特に、当該平面部の近傍位置を密封する必要がある。そのためには、従来技術のＵ字状の治具では、ネジ鉄筋の雄ネジ部における円形状の外周面と、雄ネジ部が形成されていない平面部とを同時に封止することはできない。
【００１０】
さらに、上記従来技術の治具では、ネジ鉄筋の外径に応じて複数サイズの治具を揃えておく必要があり、治具の取り扱いが煩雑となる。
【００１１】
このような実情に鑑み、従来から、ネジ鉄筋の接続部の隙間を効率的に封止できるグラウトストッパが求められている。
【課題を解決するための手段】
【００１２】
（特徴構成）
本発明に係るグラウトストッパは、
筒状の受け部材に形成された雌ネジ部にネジ鉄筋が螺入され、当該ネジ鉄筋と前記雌ネジ部との間にグラウト材が充填される前記ネジ鉄筋に着脱可能であり、
前記グラウト材の充填時に、前記ネジ鉄筋の表面に長手方向に沿って形成された平面部に当接して、当該平面部と前記雌ネジ部との隙間から前記グラウト材が漏れ出すのを防止する封止部と、
前記グラウト材に押されて前記封止部が移動するのを阻止する反力発生部と、を有する点に特徴を有する。
【００１３】
（効果）
本構成の如く、ネジ鉄筋の平面部に封止部が当接すると共に、当該封止部の移動を阻止する反力発生部を有することで、ネジ鉄筋の平面部近傍に形成される隙間を確実に封止し、注入されたグラウト材の押し出しに対して確実に抵抗することができる。よって、平面部を有するネジ鉄筋を受け部材に螺合接続する際のグラウト材の注入作業が容易かつ確実なものとなる。
【００１４】
（特徴構成）
本発明に係るグラウトストッパにあっては、前記封止部の少なくとも一部に前記反力発生部として機能する磁力発生部が設けられていると好都合である。
【００１５】
（効果）
本構成であれば、グラウトストッパをネジ鉄筋をより受け部材に対して簡便に取り付けることができる。取り付けの際には、磁力発生部が発する磁力によって、グラウトストッパがネジ鉄筋と受け部材の双方に吸着可能である。よって、ネジ鉄筋と受け部材との隙間を確実に封止することができる。
【００１６】
（特徴構成）
本発明に係るグラウトストッパにおいては、前記封止部の一部から延出し、前記ネジ鉄筋の雄ネジ部に係合して前記反力発生部として機能する係止部を形成しておいてもよい。
【００１７】
（効果）
本構成のごとく、ネジ鉄筋の雄ネジ部を利用することで、封止部がグラウト材によりネジ鉄筋の長手方向に沿って押し出されようとする力に十分に対抗することができる。また、雄ネジ部には複数のネジ溝が形成されているから、ネジ溝の何れか一つに係合するよう、封止部の位置に対して任意の位置に係止部を設けることができる。よって、グラウトストッパを構成する際の自由度が高まる。
【００１８】
（特徴構成）
本発明に係るグラウトストッパにあっては、前記封止部の二つが、前記封止部どうしを互いに近接する方向に付勢する挟持部材で連結されていると好都合である。
【００１９】
（効果）
二つの封止部を挟持部材で連結することで、封止すべき箇所に対して二つの封止部を一度に配置することができ、グラウト材充填作業の効率が高まる。また、二つの封止部がネジ鉄筋を挟持することになるから、封止部の位置保持効果がさらに高まる。
【００２０】
（特徴構成）
本発明に係るグラウトストッパにあっては、前記挟持部材を、長尺状の一本の部材を屈曲させたバネ部材で構成することができる。
【００２１】
（効果）
本構成であれば、グラウトストッパの構造が簡略化されるため、故障発生個所が少なくなり耐久性が高まる。また、グラウトストッパを安価に製造することが可能となる。
【図面の簡単な説明】
【００２２】
【図１】第１実施形態に係るグラウトストッパの外観を示す斜視図
【図２】第１実施形態の別構成に係るグラウトストッパの外観を示す斜視図
【図３】第２実施形態に係るグラウトストッパの外観を示す斜視図
【図４】第２実施形態の別構成に係るグラウトストッパの外観を示す斜視図
【図５】第２実施形態の別構成に係るグラウトストッパの外観を示す斜視図
【図６】第３実施形態に係るグラウトストッパの外観を示す斜視図
【図７】第３実施形態の別構成に係るグラウトストッパの外観を示す斜視図
【図８】第３実施形態の別構成に係るグラウトストッパの外観を示す斜視図
【発明を実施するための形態】
【００２３】
（概要）
本発明に係るグラウトストッパＳは、雌ネジ部２１を有する受け部材２にネジ鉄筋１を螺入したのちネジ鉄筋１と受け部材２の接続部に両者の係合を固定するグラウト材を充填する際に、グラウト材が不用意にもれ出すのを防止するために、両者の隙間を封止するものである。
【００２４】
図１に示すように、ネジ鉄筋１の表面には、製造の都合上、雄ネジ部１１と平面部１２とが形成される。そのため、ネジ鉄筋１を受け部材２の雌ネジ部２１に螺入したとき、平面部１２と雌ネジ部２１の間には大きな隙間が生じる。ネジ鉄筋１を螺入したのち、受け部材２の長手方向中程に設けた注入孔２２からグラウト材を注入し、雄ネジ部１１と雌ネジ部２１との隙間にグラウト材を行き渡らせる。その際に、受け部材２の端部からグラウト材があふれ出るまでグラウト材を注入する。
【００２５】
ただし、グラウト材はネジ鉄筋１の平面部１２と雌ネジ部２１との隙間から外部に漏れ出し易いから、この部分をグラウトストッパＳで封止する。これにより、注入されたグラウト材を雄ネジ部１１と雌ネジ部２１との隙間に十分に行き渡らせることができる。以下には本発明に係る複数の実施形態につき図面を参照しながら説明する。
【００２６】
〔第１実施形態〕
図１および図２に、第１実施形態のグラウトストッパＳを示す。このグラウトストッパＳは、平面部１２と雌ネジ部２１との隙間を封止するように着脱可能で、当該隙間を封止する封止部３と、この封止部３がグラウト材に押されて移動するのを阻止する反力発生部４とを備えている。
【００２７】
本実施形態においては、グラウトストッパＳの全体を、磁力を有する材料で構成する。つまり、反力発生部４として磁力発生部を設けておく。封止部３は、平面部１２に当接する第１平面３１と、受け部材２の端面２３に当接する第２平面３２とを備えた、例えば角柱状の磁石で構成する。これにより、平面部１２と雌ネジ部２１との隙間がグラウトストッパＳによって確実に封止される。このように本実施形態では、グラウトストッパＳを構成する磁石部材が封止部３であり且つ反力発生部４となる。
【００２８】
グラウトストッパＳの一部には、図１に示すように把持部３３を設けることで、隙間への着脱操作が容易になる。また、第１平面３１及び第２平面３２の少なくとも何れか一方に、柔軟性を有する密閉部材３４を設けておくと、グラウトストッパＳと受け部材２の端面２３との隙間、あるいは、グラウトストッパＳとネジ鉄筋１の平面部１２との隙間の封止が確実になる。密閉部材３４としては、例えば、スポンジや軟質ゴム等の柔軟材料を用いる。
【００２９】
また、このような密閉部材３４を用いることで、第１平面３１や第２平面３２に鉄粉等のゴミが付着した場合でも除去が容易となる。尚、密閉部材３４の厚みは、グラウトストッパＳが受け部材２やネジ鉄筋１に十分な吸着力で付着できる程度とする。
【００３０】
図２に示すように、当該グラウトストッパＳは、平面部１２に対する吸着力を高めるべくＴ字状に構成し、平面部１２に沿った部位の長さを大きくしてもよい。この結果、封止姿勢の維持がより確実となり、グラウト材の漏れ出しが少なくなる。また、吸着面積が大きくなる結果、磁力がそれ程強力でない材料でも利用可能となり、グラウトストッパＳのコストが削減される。
【００３１】
〔第２実施形態〕
図３および図４に、第２実施形態のグラウトストッパＳを示す。ここでは、封止部３と反力発生部４とを別構成とした例を示す。例えば、図３に示すように、封止部３の中央からネジ鉄筋１の長手方向に沿って棒状部材３５を延出させておき、反力発生部４に設けたスライド孔４１に挿通させる。棒状部材３５の先端には、棒状部材３５が反力発生部４から抜け出すのを防止するようにＣリング等を用いたストッパ４２を設けておき、封止部３と反力発生部４とに反力をとるように棒状部材３５の周囲に例えば付勢部５としてのコイルバネ５１を設ける。
【００３２】
さらに、反力発生部４には、ネジ鉄筋１の雄ネジ部１１に係合するアーム状の係止部４３を備えておくとよい。この係止部４３は、雄ネジ部１１のネジ溝１３に係入できるよう所定の太さに形成するか、ネジ溝１３に係入できる突起等を設けておくと良い。
【００３３】
本構成により、グラウト材の注入作業を行う作業者は、反力発生部４を保持しつつ封止部３を受け部材２の端面２３とネジ鉄筋１の平面部１２に押し当て、反力発生部４を受け部材２の側に押し付けてコイルバネ５１を縮める。その状態で係止部４３をネジ溝１３に係止させることで、グラウトストッパＳが封止姿勢に固定される。コイルバネ５１の縮み量を適宜変化させることで、封止部３の押付力をグラウト材の押圧力に対抗できる強さに調節することができる。
【００３４】
このグラウトストッパＳは、ネジ鉄筋１の二つの平面部１２の位置にできる隙間に取り付けるが、互いの係止部４３が干渉しそうな場合には、一方のコイルバネ５１を大きく縮ませ、夫々の係止部４３を異なる位置のネジ溝１３に係合させればよい。
【００３５】
また、アーム状の係止部４３を弾性部材で構成し、自然状態ではアームの間隔がネジ鉄筋１の外径よりも小さくなるように設定しておいてもよい。その場合、係止部４３はネジ鉄筋１のネジ溝１３に付勢係合するから、グラウトストッパＳの取付姿勢がさらに安定する。
【００３６】
尚、図３では、アーム状の係止部４３を示したが、第２実施形態のグラウトストッパＳの別構成として、図４に示すように反力発生部４を第１実施形態と同様の磁性部材で構成することで、係止部４３を設けなくとも反力発生部４を平面部１２の任意の位置に吸着固定することができる。
【００３７】
また、図４に示すように、封止部３に対する棒状部材３５の取り付けに自在継手３６を用いることもできる。当該自在継手３６としては、例えば、ボールジョイントを用いる。これにより、平面部１２に対する反力発生部４の取付姿勢がある程度変化した場合でも、特に封止部３の第２平面３２を受け部材２の端面２３に密着させることができる。
【００３８】
さらに、第２実施形態のグラウトストッパＳの別構成として、図５に示すように封止部３と反力発生部４とをネジ部材３７で連結するものであっても良い。即ち、係止部４３の挟持力を利用して反力発生部４をネジ鉄筋１に取り付けたのち、ネジ部材３７を指で回転させて封止部３を受け部材２の端面２３に押し付ける。これによってもグラウトストッパＳを簡単に設置することができる。
【００３９】
尚、この例においても、反力受部４に磁石を用いることで係止部４３を省略することができるし、ネジ部材３７の先端と封止部３との接続部に自在継手３６を用いることもできる。
【００４０】
〔第３実施形態〕
図６乃至図８には、二つの隙間を同時に封止できるグラウトストッパＳを示す。例えば、図６に示すように、一対の封止部３どうしを互いに近接する方向に付勢する挟持部材６を備えた構成とすることができる。具体的には、開閉可能な一対の挟持アーム６２を備えたクランプ６１を用い、挟持アーム６２の夫々の先端に封止部３および反力発生部４を取り付けておく。挟持アーム６２の両先端部には軸部６３が設けられており、封止部３が回転可能である。これにより、ネジ鉄筋１の太さに拘わらず、二つの封止部３の第１平面３１を夫々が対向する平面部１２に密着させることができる。
【００４１】
尚、第１平面３１には、平面部１２に対する係止効果を高めるべく、ローレット加工などにより多数の凹凸を設けておくとよい。ただし、当該凹凸と平面部１２との隙間からグラウト材が容易に漏れ出ない程度の形状とする。
【００４２】
本構成のグラウトストッパＳであれば、クランプ６１を操作することで二箇所の封止部３を同時に取り付けることができ封止操作が簡便かつ効率的になる。この場合には、挟持アーム６２が封止部３の第１平面３１をネジ鉄筋１の平面部１２に押し付けるから係止効果が高まる。よって、隙間の封止効果が確実なものとなる。
【００４３】
尚、図７に示すように、封止部３および反力発生部４としては、第２実施形態に示したものを使用することもできる。この場合には、グラウト材の注入に際して、封止部３の封止姿勢がより確実に維持されるから、操作性がさらに優れたグラウトストッパＳを得ることができる。
【００４４】
また、これとは別に、図８に示すごとく、一対の封止部３を単一の挟持部材６で連結する構成にすることもできる。具体的には、挟持部材６を、例えば長尺状の一本の部材を屈曲させたバネ部材６４で構成する。本構成であれば挟持部材６の構成がより簡便なものとなり、グラウトストッパＳを安価に作製することができ、しかも耐久性が高まる。
【００４５】
〔その他の実施形態〕
本発明のグラウトストッパＳとしては、最も簡単な構成としては、例えば粘土を用いるものでもよい。即ち、平面部１２と雌ネジ部２１との二つの隙間に、夫々、所定量の粘土を貼り付ける。この場合、粘土の一部が隙間を封止する封止部３となり、他の一部がネジ鉄筋１の平面部１２に密着して反力発生部４となる。
【産業上の利用可能性】
【００４６】
本発明のグラウトストッパは、ネジ鉄筋を受け部材に螺合し、グラウト材で両者を固定するネジ鉄筋の接続部に広く適用可能である。
【符号の説明】
【００４７】
１    ネジ鉄筋
１１  雄ネジ部
１２  平面部
２    受け部材
２１  雌ネジ部
３    封止部
４    反力発生部
４３  係止部
６    挟持部材
６４  バネ部材
Ｓ    グラウトストッパ
【図１】
2020111982.tif 000003
【図２】
2020111982.tif 000004
【図３】
2020111982.tif 000005
【図４】
2020111982.tif 000006
【図５】
2020111982.tif 000007
【図６】
2020111982.tif 000008
【図７】
2020111982.tif 000009
【図８】
2020111982.tif 000010